(57)【要約】【課題】真ん中野菜室タイプの冷蔵庫であっても野菜室にオゾンやＯＨラジカルを含むナノレベルのミストを供給でき、しかも生産性が高い冷蔵庫の提供。【解決手段】霧化装置３４の印加電極３５をペェルチェ素子３７で冷却する構成とし、かつ、前記霧化装置３４はその最下端部が前記仕切板５を冷蔵庫本体１にセットする際の治具の基準面となる面と同等もしくはそれよりも上方に位置するように前記仕切板に装着した構成としてある。これにより、野菜室８の上方が冷凍室等でない真ん中野菜室でもその印加電極を露点以下に冷却してミストを放出させることができる。しかも、霧化装置を装着したまま仕切板を冷蔵庫本体に一体化できるので、仕切板を冷蔵庫本体にセットして発泡断熱材を発泡充填させたのちに作業性の悪い野菜室の内奥上面で霧化装置を装着するような煩雑な作業の必要がなく、その生産性は高く安価なものとすることができる。【選択図】図１５
2019052846.tif 000002
【特許請求の範囲】
【請求項１】
冷蔵庫本体に冷蔵室、野菜室、冷凍室を設け、前記野菜室の天井面を構成する仕切板に霧化装置を装着し、上記霧化装置は、ペェルチェ素子と、このペェルチェ素子によって冷却される印加電極と、この印加電極の対向電極とを備え、かつ、前記霧化装置はその最下端部が前記仕切板を冷蔵庫本体にセットする際の治具の基準面となる面と同等もしくはそれよりも上方に位置するように前記仕切板に装着した冷蔵庫。
【請求項２】
冷蔵庫本体の仕切板前部に設けられる補強梁の最下端を基準面とし、霧化装置はその最下端部を前記基準面となる補強梁の最下端と同等もしくはそれよりも上方に位置するように前記仕切板に装着した請求項１記載の冷蔵庫。
【請求項３】
仕切板は凹所を有していてこの凹所以外の部分の最下端を基準面とし、霧化装置はその最下端を前記基準面となる仕切板の凹所以外の部分の最下端と同等もしくはそれよりも上方に位置するように前記仕切板の凹所に装着した請求項１記載の冷蔵庫。
【請求項４】
野菜室は野菜室容器を備え、前記野菜室容器の内部は野菜収納部と非野菜収納部に区分けし、かつ、前記野菜室には野菜収納部に対応して野菜冷気入口、非野菜収納部に対応して野菜冷気出口を設けるとともに、前記野菜収納部と前記非野菜収納部との間に野菜収納部内の冷気を非野菜収納部へと流す開口を設け、更に前記野菜室の天井面となる仕切板の前記野菜収納部と対応する部分に霧化装置を設けた請求項１〜３のいずれか１項記載の冷蔵庫。
【請求項５】
野菜室は冷蔵室と冷凍室の間に配置し、霧化装置は前記野菜室と前記冷蔵室との間を仕切る仕切板に装着した請求項１〜４のいずれか１項記載の冷蔵庫。
【請求項６】
仕切板の霧化装置を装着する面には補強用のリブを設け、このリブ同士の間の窪み部分を霧化装置装着用の凹所として当該凹所に霧化装置を装着した請求項５記載の冷蔵庫。
【発明の詳細な説明】
【技術分野】
【０００１】
本発明は野菜室にミストを放出する霧化装置を備えた冷蔵庫に関するものである。
【背景技術】
【０００２】
一般に野菜室にミストを放出する霧化装置を備えた冷蔵庫は、野菜の保鮮度が高く、長期間に亘って野菜を新鮮な状態に冷却保存できる利点がある。そして、このような冷蔵庫の中にはオゾンやＯＨラジカルなどを含むミストを放出する霧化装置を備え、野菜の抗菌、殺菌もできるようにしたものがみられる（例えば、特許文献１参照）。
【０００３】
図１９は上記特許文献１（実施の形態６）に記載されている冷蔵庫を示し、その霧化装置１０１は放電電極となる印加電極１０２とその放電相手となる対向電極１０３を備え、上記印加電極１０２は野菜室１０４と製氷室１０５との間を仕切る仕切板１０６からの伝導熱により冷却されるように前記仕切板１０６に装着してある。これにより、印加電極１０２は露点以下に冷却されて周りの水蒸気が結露付着し、印加電極１０２に高電圧を印加して放電させると印加電極１０２に結露付着した水滴がナノレベルのミストとなって放出される。その際、前記印加電極１０２の放電によりオゾンやＯＨラジカルなどが発生し、このオゾンやＯＨラジカルなどが前記ミストと一緒に放出され、オゾンやＯＨラジカルが持つ強い酸化力によって野菜の抗菌、殺菌もできるというものである。
【先行技術文献】
【特許文献】
【０００４】
【特許文献１】特表２００６−９９１８９号公報
【発明の概要】
【発明が解決しようとする課題】
【０００５】
上記特許文献１に記載されている冷蔵庫は、印加電極１０２を低温に冷却し、周りの空気中に存在する水蒸気を結露させてミストを発生させるので、ミストを発生させるための水タンクや水供給構成等を必要とせず、コンパクトに設置できて野菜室等の容積を減じることがない、という利点がある。
【０００６】
しかしながら、上記霧化装置１０１ではミストを発生させる印加電極１０２を低温に冷却する必要があるため、霧化装置１０１を設置する野菜室１０４の天井となる仕切板１０６の上方の貯蔵室は製氷室１０５や冷凍室等の冷凍温度帯域の貯蔵室である必要がある。
【０００７】
したがって、野菜室が冷蔵室と冷凍室との間に配置されている真ん中野菜冷蔵庫では、野菜室上方の貯蔵室が野菜室より若干低い約１℃〜４℃程度の冷蔵室であるため、この冷蔵室からの熱伝導では印加電極３５を露点以下に冷却することができず、このような方式の霧化装置を適用することができなかった。
【０００８】
しかしながらこの真ん中野菜タイプの冷蔵庫は野菜の出し入れが容易で野菜を多用されるユーザには重宝されているため、このような真ん中野菜タイプの冷蔵庫にもその野菜室にオゾンやＯＨラジカルを含むナノレベルのミストを供給できる冷蔵庫の提供が求められていた。
【０００９】
加えて、この種霧化装置１０１を設けた冷蔵庫は、野菜を新鮮に冷却保存できる利点があるものの、霧化装置１０１を設けた分だけコスト高になり、コストダウンに対する要望も強いものがあった。
【００１０】
本発明はこのような点に鑑みてなしたもので、真ん中野菜室タイプの冷蔵庫であってもその野菜室にオゾンやＯＨラジカルを含むナノレベルのミストを供給でき、しかも生産性を高めて安価に提供できる冷蔵庫とすることを目的としたものである。
【課題を解決するための手段】
【００１１】
本発明は、上記目的を達成するため、野菜室の天井面を構成する仕切板に霧化装置を装着し、前記霧化装置は、ペェルチェ素子と、このペェルチェ素子によって冷却される印加電極と、この印加電極の対向電極とを備え、かつ、前記霧化装置はその最下端部が前記仕切板を冷蔵庫本体にセットする際の治具の基準面となる面と同等もしくはそれよりも上方に位置するように前記仕切板に装着した構成としてある。
【００１２】
これにより、霧化装置の印加電極はペェルチェ素子によって冷却されるので野菜室の上方の貯蔵室が冷凍室等の冷凍温温度帯の貯蔵室でなくでもその印加電極を露点以下に冷却して周りの水蒸気を結露させ、オゾンやＯＨラジカルを含むナノレベルのミストを放出させることができる。しかも、この霧化装置は仕切板に装着した状態で冷蔵庫本体に治具を用いてセットしても、その治具セット時の基準面より上方に位置していて当該治具セットの邪魔にならないので、冷蔵庫の生産過程において冷蔵庫本体に仕切板をセットして発泡断熱材を充填発泡させる前の段階で仕切板に霧化装置を装着しておくことができ、仕切板を冷蔵庫本体にセットし発泡断熱材を発泡充填させて一体化したのちに作業性の悪い野菜室の内奥上面で霧化装置を装着するような煩雑かつ時間のかかる作業をする必要がなく、生産性を大幅に向上させることができる。
【発明の効果】
【００１３】
本発明は、上記構成により、真ん中野菜室タイプの冷蔵庫のように冷凍温度帯域の貯蔵室からの熱伝導が得られにくい冷蔵庫であってもその野菜室にオゾンやＯＨラジカルを含むナノレベルのミストを供給でき、しかも生産性が高く安価に提供できる冷蔵庫とすることができる。
【図面の簡単な説明】
【００１４】
【図１】本発明の実施の形態１における冷蔵庫の正面図
【図２】同実施の形態１における冷蔵庫の扉を開いた時の正面図
【図３】同実施の形態１における冷蔵庫の縦断面図
【図４】同実施の形態１における冷蔵庫の野菜室を示す断面図
【図５】同実施の形態１における冷蔵庫の野菜室を示す概略断面図
【図６】同実施の形態１における冷蔵庫の野菜室部分の分解斜視図
【図７】同実施の形態１における冷蔵庫の野菜室に用いる野菜室容器の斜視図
【図８】同実施の形態１における冷蔵庫の野菜室にの霧化装置を装着した仕切板部分の断面図
【図９】同実施の形態１における冷蔵庫の野菜室に霧化装置を装着した仕切板部分の欠裁斜視図
【図１０】同実施の形態１における冷蔵庫の野菜室の仕切板を野菜室側から見た斜視図
【図１１】同実施の形態１における冷蔵庫の野菜室の仕切板を野菜室側から見た分解斜視図
【図１２】同実施の形態１における冷蔵庫の野菜室の仕切板を野菜室側から見た要部の拡大斜視図
【図１３】（ａ）同実施の形態１における冷蔵庫の野菜室に用いた霧化装置の斜視図（ｂ）同霧化装置の平面図
【図１４】同実施の形態１における冷蔵庫の野菜室に用いた霧化装置部分の断面図
【図１５】同実施の形態１における冷蔵庫の野菜室に用いた霧化装置の拡大断面図
【図１６】同実施の形態１における図１０の仕切板のＡ−Ａ断面図
【図１７】同実施の形態１における図１０の仕切板のＢ−Ｂ断面図
【図１８】同実施の形態１における冷蔵庫の制御ブロック図
【図１９】従来の冷蔵庫の霧化装置部分を示す概略断面図
【発明を実施するための形態】
【００１５】
第１の発明は、冷蔵庫本体に冷蔵室、野菜室、冷凍室を設け、前記野菜室の天井面を構成する仕切板に霧化装置を装着し、上記霧化装置は、ペェルチェ素子と、このペェルチェ素子によって冷却される印加電極と、この印加電極の対向電極とを備え、かつ、前記霧化装置はその最下端部が前記仕切板を冷蔵庫本体にセットする際の治具の基準面となる面と同等もしくはそれよりも上方に位置するように前記仕切板に装着した構成としてある。
【００１６】
これにより、霧化装置の印加電極はペェルチェ素子によって冷却されるので、野菜室の上方の貯蔵室が冷凍室等の冷凍温温度帯の貯蔵室でなくでもその印加電極を露点以下に冷却して周りの水蒸気を結露させ、オゾンやＯＨラジカルを含むナノレベルのミストを放出させることができる。しかも、この霧化装置は仕切板に装着した状態で冷蔵庫本体に治具を用いてセットしても、その治具セット時の基準面より上方に位置して当該治具セットの邪魔にならないので、冷蔵庫の生産過程において冷蔵庫本体に仕切板をセットして発泡断熱材を充填発泡させる前の段階で仕切板に霧化装置を装着しておくことができ、仕切板を冷蔵庫本体にセットし発泡断熱材を発泡充填させて一体化したのちに作業性の悪い野菜室内奥上面で霧化装置を装着するような煩雑かつ時間のかかる作業をする必要がなく、生産性を大幅に向上させることができる。
【００１７】
第２の発明は、第１の発明において、冷蔵庫本体の仕切板前部に設けられる補強梁の最下端を基準面とし、霧化装置はその最下端部を前記基準面となる補強梁の最下端と同等もしくはそれよりも上方に位置するように前記仕切板に装着した構成としてある。
【００１８】
これにより、前記第１の発明で述べた治具が補強梁の最下端に沿って水平方向にスライドさせ冷蔵庫本体にセットするものであっても、霧化装置を装着した状態の仕切板を支障なく冷蔵庫本体にセットすることができ、その生産性を確実に高いものとすることができる。
【００１９】
第３の発明は、第１の発明において、前記仕切板は凹所を有していてこの凹所以外の部分の最下端を基準面とし、霧化装置はその最下端を前記基準面となる仕切板の凹所以外の部分の最下端と同等もしくはそれよりも上方に位置するように前記仕切板の凹所に装着した構成としてある。
【００２０】
これにより、前記第１の発明で述べた治具が上下方向にスライドさせて冷蔵庫本体にセットするものであっても、霧化装置を装着した状態の仕切板を支障なく冷蔵庫本体にセットすることができ、その生産性を確実に高いものとすることができる。
【００２１】
第４の発明は、第１〜第３の発明において、前記野菜室は野菜室容器を備え、前記野菜室容器の内部は野菜収納部と非野菜収納部に区分けし、かつ、前記野菜室には野菜収納部に対応して野菜冷気入口、非野菜収納部に対応して野菜冷気出口を設けるとともに、前記野菜収納部と前記非野菜収納部との間に野菜収納部内の冷気を非野菜収納部へと流す開口を設け、更に前記野菜室の天井面となる仕切板の前記野菜収納部と対応する部分に霧化装置を設けた構成としてある。
【００２２】
これにより、野菜収納部に効率よくオゾンやＯＨラジカルを含むナノレベルのミストを供給することができ、野菜に対するミスト保鮮効果はもちろんオゾンやＯＨラジカルによる殺菌、抗菌効果も効率よく発揮させることができる。しかも野菜を殺菌、抗菌した後のオゾンやＯＨラジカルを非野菜収納部から野菜冷気出口を介して冷蔵庫本体内の冷蔵室や冷凍室にも供給し、そこに冷却保存されている食品の殺菌、抗菌も行うことができる。
【００２３】
第５の発明は、第１〜第４の発明において、前記野菜室は冷蔵室と冷凍室の間に配置し、霧化装置は前記野菜室と前記冷蔵室との間を仕切る仕切板に装着した構成としてある。
【００２４】
これにより、野菜の出し入れを容易なものとしつつその野菜を新鮮な状態に保鮮し、殺菌、抗菌できる使い勝手の良い冷蔵庫とすることができる。
【００２５】
第６の発明は、第５の発明において、前記仕切板の霧化装置を装着する面には補強用のリブを設け、このリブ同士の間の窪み部分を霧化装置装着用の凹所として当該凹所に霧化装置を装着した構成としてある。
【００２６】
これにより、温度帯が近似する冷蔵室と野菜室との間を仕切ることになって断熱材を必要としなくなった仕切板の強度をリブによって高めると同時に、仕切板に装着した霧化装置の最下端が仕切板の最下端と同等かそれよりも上方に位置するようにすることができ、生産過程における仕切板用治具のセットが支障なく行え、その結果冷蔵庫本体に装着する前の段階で仕切板に霧化装置の取り付けが可能となって高い生産性も維持することができる。
【００２７】
以下、本発明の実施の形態について、図面を参照しながら説明する。尚、この実施の形態によって本発明が限定されるものではない。
【００２８】
（実施の形態１）
図１〜図１４は本発明の実施の形態１を示すもので、まず、冷蔵庫の全体構成について説明する。
【００２９】
図１〜図６において、本実施の形態に係る冷蔵庫は、前方を開口した冷蔵庫本体１を備え、この冷蔵庫本体１は、図３に示すように主に鋼板を用いた外箱２と、ＡＢＳなどの硬質樹脂で成型された内箱３と、前記外箱２と内箱３との間に充填された硬質発泡ウレタン等の発泡断熱材４とから構成されている。冷蔵庫本体１は、仕切板５、６によって複数の貯蔵室に区分されており、冷蔵庫本体１の最上部には冷蔵室７、その冷蔵室７の下部に野菜室８、そして最下部に冷凍室９が配置されていて、真ん中野菜室タイプの冷蔵庫となっている。前記各貯蔵室の前面開口部は、扉１０、扉１１、扉１２によって開閉可能に閉塞されている。
【００３０】
冷蔵庫本体１の上部後方領域には機械室１４が設けられている。機械室１４には、圧縮機１５、水分除去を行うドライヤ（図示せず）等の冷凍サイクルの高圧側構成部品が収容されている。
【００３１】
また、冷蔵庫本体１の背面には冷気を生成する冷却室１６と冷却室１６からの冷気を前記冷蔵室７、野菜室８、冷凍室９に供給循環させる冷気通路１７が設けられている。前記冷却室１６及び冷気通路１７の一部は冷凍室９の背面から野菜室８の下部背面に渡って形成されており、野菜室８との間は発泡スチロール等によって断熱性を持たせた背面壁体１８によって断熱仕切りしてある。
【００３２】
冷却室１６内には冷却器１９が配設されており、冷却器１９の上部には冷却ファン２０が配置されている。前記冷却ファン２０は、冷却器１９により冷却された冷気を、冷気通路１７を介し冷蔵室７、野菜室８、冷凍室９に強制循環させて各室を冷却するものである。例えば、冷蔵室７は食品が凍らない程度の温度通常１℃〜５℃に冷却し、野菜室８は冷蔵室７と同等もしくは若干高めの温度２℃〜７℃に冷却している。また、冷凍室９は冷凍保存のために通常−２２℃〜−１５℃の冷凍温度帯に冷却しており、場合によっては冷凍保存状態向上のために、例えば−３０℃や−２５℃の低温に冷却することもある。
【００３３】
次に野菜室８の構成について説明する。
【００３４】
野菜室８は図５に示すように、その背面下部に冷気入口２１、上部に冷気戻り口２２を有していて、冷気通路１７と連通している。そして、上記冷気入口２１にはこれと対向させて野菜室ファン２３が設けてあり、野菜室ファン２３の回転によって冷気通路１７内を流れる冷気を野菜室８内に取り込むようになっている。また、上記野菜室ファン２３は野菜室８の背面壁体１８に組み込んであり、同背面壁体１８に形成した野菜室ダクト２４の上部開口を介して野菜室８内の冷気の一部を吸引し、野菜室内で冷気を循環させることができるようにもなっている。この野菜室ファン２３は野菜室８内が所定の野菜冷却保存温度以上になると駆動し、冷蔵室７の冷却運転中であれば冷気通路１７からの冷気を取り込み、冷却運転停止中であれば野菜室内の冷気を野菜室８内で循環させ、野菜室８内が野菜冷却保存温度以下になれば停止するようになっている。
【００３５】
また、前記野菜室８は図６に示すように野菜室容器２５が設けてあり、この野菜室容器２５は扉１１のレール２６に載置して扉開閉に伴い野菜室８内から出し入れ自在となっている。この野菜室容器２５は図７に示すように仕切壁体２７によって野菜を収納する野菜収納部２８と別途ボトル等を収納する非野菜収納部２９とに区画してあり、野菜収納部２８の上部には果物等を収納する小物収納容器３０が前後スライド自在に設けてある。そして、前記仕切壁体２７には透湿膜３１を設けて、野菜収納部２８内の湿度がほぼ一定に維持できるようにしてある。
【００３６】
また、前記野菜室８の冷気戻り口２２は上記非野菜収納部２９側の空間部分に設けてあり、図８、図９に示すように小物収納容器３０をスライド自在に保持するレール部材３２のスリット開口３３を介して前記野菜収納部２８とも連通させ、野菜収納部２８内の冷気が上記スリット開口３３を介して冷気戻り口２２から冷気通路１７へと還流していくようになっている。
【００３７】
さらに、前記野菜室８には霧化装置３４が組み込んである。
【００３８】
以下、この野菜室８に組み込んである霧化装置３４について、図１０〜図１８を用いて説明する。
【００３９】
図１０〜図１８において、霧化装置３４は野菜室８の天井面となる仕切板５、すなわち冷蔵室７と野菜室８との間を仕切る仕切板５の下面に装着してある。上記霧化装置３４は前記仕切板５下面のうち前記野菜室容器２５の野菜収納部２８に対応する位置に設けてあり、野菜収納部２８に放出したミストは前記レール部材３２のスリット開口３３、非野菜収納部２９、冷気戻り口２２を介して冷気通路１７へも供給可能なように構成してある。
【００４０】
ここで、前記霧化装置３４は、図１５に示すように、オゾンやＯＨラジカルを含むナノレベルのミストを放出する印加電極３５と対向電極３６とを備え、更に前記印加電極３５を露点以下の温度まで冷却するためのペェルチェ素子３７を備えている。すなわち、霧化装置３４は、金属ピン状の印加電極３５と、これに対向して配置したドーナツ円盤状の対向電極３６と、前記印加電極３５を冷却するように配置したペェルチェ素子３７とで霧化ユニット３８を構成している。そして、前記霧化ユニット３８の印加電極３５に高電圧を印加するとともに、前記ペェルチェ素子３７への通電を制御する制御ユニット３９（図１３参照）を備え、これら霧化ユニット３８と制御ユニット３９は装置基板４０に組み込んで一体化し、仕切板５の下面に装着してある。その際、印加電極３５は対向電極３６の上方に位置していて、下向き、すなわち、野菜室８内に向かって放電するようにしてある。なお、印加電極３５はマイナス極、対向電極３６はプラス極に接続してあり、放出されるオゾンやＯＨラジカルを含むナノレベルのミストはマイナスに帯電している。
【００４１】
ここで、上記霧化装置３４は前記仕切板５を冷蔵庫本体１にセットする際の治具（図示せず）の基準面（図１６，図１７のＸ）となる面と同等もしくはそれよりも上方に位置するように仕切板５に装着してある。具体的には、前記仕切板５の前端面に装着される補強梁４１の下端部を基準面Ｘとし、この基準面と同等もしくはそれよりも上方に前記霧化装置３４の最下端部が位置する様に装着してある。
【００４２】
この実施の形態では図１０〜図１２に示すように、前記仕切板５の下面に互いにクロスするようにリブ４２を設け、このリブ４２の一部を廃して形成した凹所４３に霧化装置３４を装着し、当該リブ４２の最下端部を前記補強梁４１の最下端部と同一高さとしてこれを基準面Ｘとし、この基準面Ｘとなるリブ４２の最下端部より霧化装置３４の最下端が上方に位置する構成としてある。
【００４３】
また、上記霧化装置３４は、圧縮機１５の運転開始と連動して作動、すなわち印加電極３５に高電圧を印加して放電させミストを放出するように構成してある。その際、前記印加電極３５を冷却するペェルチェ素子３７には高電圧印加の所定時間前に通電し、印加電極３５を露点以下の温度まで冷却して空気中の水蒸気が印加電極３５に結露しているようにしてある。そして、この霧化装置３４は前記作動開始から所定時間経過すると圧縮機１５の運転状態にかかわらず作動を停止するように構成してある。
【００４４】
図１８は上記冷蔵庫の制御ブロック図を示し、４４は冷蔵室温度検知手段、４５は野菜室温度検知手段、４６冷凍室温度検知手段、４７は外気温度検知手段で、いずれもサーミスタで形成してあり、それぞれ冷蔵室７、野菜室８、冷凍室９、冷蔵庫本体１の適所に設置されている。４８は冷蔵庫全体を統括制御する制御部で、マイクロコンピュータ等によって構成してあり、前記冷蔵室温度検知手段４４、冷凍室温度検知手段４６からの出力に基づきあらかじめ組み込まれた制御ソフトにしたがって冷蔵室ダンパ４９、冷凍室ダンパ５０（いずれも構造図では図示せず）を開閉制御するとともに、圧縮機１５、冷却ファン２０を駆動して各室を設定温度に制御する。さらにこの制御部４８は前記したように圧縮機１５を駆動する際、圧縮機１５を駆動させる駆動温度より例えば１℃低い温度になるとペェルチェ素子３７に通電し、圧縮機駆動温度になると圧縮機１５とともに印加電極３５に高電圧を印加して霧化装置３４を作動させ、所定時間後に印加電極３５およびペェルチェ素子３７への通電を停止するようになっている。
【００４５】
以上のように構成された冷蔵庫について、以下その動作、作用を説明する。
【００４６】
まず、冷蔵庫全体の動作を説明しておくと、冷蔵室７および冷凍室９のいずれかが設定温度より高くなると、圧縮機１５と冷却ファン２０が駆動するとともに、冷気通路１７中に設けた冷蔵室ダンパ４９、冷凍室ダンパ５０のいずれかもしくは両方が開き、冷却器１９で生成された冷気が冷蔵室７および冷却室１６ならびに前記冷蔵室７からの戻り冷気が冷気通路１７を介して野菜室８へと供給され、これら各室が定温度になるように冷却される。
【００４７】
この時、すなわち、前記圧縮機１５の駆動とともに霧化装置３４が作動し、野菜室８内にミストが供給され、野菜室８内の野菜の保鮮が行われる。以下、この霧化装置３４の作用効果について説明する。
【００４８】
霧化装置３４は、印加電極３５に空気中の水蒸気を結露させ、この結露水を前記印加電極３５の対向電極３６に対する放電によってナノクラスのミストとして放出するが、前記印加電極３５はペェルチェ素子３７によって冷却するので、野菜室８の上方の貯蔵室が冷凍室９等の冷凍温度帯の貯蔵室でなくてもその印加電極３５を露点以下に冷却して空気中の水蒸気を結露させ、オゾンやＯＨラジカルを含むナノレベルのミストを放出させることができる。
【００４９】
この時、本実施の形態の霧化装置３４は、圧縮機駆動前にペェルチェ素子３７に通電してこれを冷却して結露水を付着させておくので、結露水なしの状態で放電（以下、これを空放電と称す）することがなく、オゾンやＯＨラジカルの過度の放出を防止できる。そして、空放電による印加電極３５の過度な摩滅も抑制することができる。
【００５０】
また、上記霧化装置３４の運転は、圧縮機１５の駆動から所定時間で停止するようにしてあるから、年がら年中運転していて、かつ、冷蔵室７あるいは冷凍室９の温度状態によって圧縮機１５が頻繁に駆動し、しかもその駆動時間が長時間になるという冷蔵庫であっても、霧化装置３４の作動時間は限定的なものとすることができる。これによって、印加電極３５の放電による摩滅を抑制すると同時にオゾンやＯＨラジカルの放出量が過度なものとなるのを防止でき、長寿命かつ安全性の高いものとすることができる。
【００５１】
さらに、前記霧化装置３４は印加電極３５が野菜室８の天井面に設けられており、しかも下向き、すなわち、野菜室８内に向かって放電するように構成してあるので、放電によって生成されるオゾンやＯＨラジカルを含むナノレベルのミストは野菜室８内に効果的に供給され、野菜の保鮮度効果が高いものとなる。加えて、印加電極３５を下向きとしていることによって印加電極３５に付着する結露水がその先端放電部に集まって効率よくナノレベルのミストを放出できるとともに、空放電による印加電極３５の摩滅も防止して長寿命化を図ることもできる。
【００５２】
しかも、上記印加電極３５はマイナス極としてあるから、放電によって放出されるオゾンやＯＨラジカルを含むナノレベルのミストはマイナスに帯電しており、通常プラスに帯電している野菜への付着効果が高まり、保鮮はもちろん、オゾンやＯＨラジカルが持つ殺菌、抗菌効果も高いものとなる。
【００５３】
一方、前記霧化装置３４はその最下端部が前記仕切板５を冷蔵庫本体１にセットする際の治具（図示せず）の基準面Ｘとなる面と同等もしくはそれよりも上方に位置するように前記仕切板５に装着してあるから、生産性の高いものとすることができる。
【００５４】
すなわち、通常、冷蔵庫は、冷蔵庫本体成型時、冷蔵庫本体１に予め仕切板５，６（以下、説明簡易化及び発明との関係で仕切板５を対象に説明する）をセットし、この仕切板５をセットした状態で冷蔵庫本体１の内箱３と外箱２との間に発泡ウレタン等の発泡断熱材４を充填発泡させて成形するが、この時、前記仕切板５のセットに当って仕切板５を上下の冶具で挟み込みそのまま内箱３の内面に押し付けて発泡断熱材４を充填発泡させる。
【００５５】
その際、上記治具は冷蔵庫本体内箱３の前方から後方に向かって水平方向にスライドさせるため、仕切板５の前面端に予め装着しておく補強梁４１の上下端（以下、説明簡易化及び発明との関係で下端を対象に説明する）よりも下方に突出するものが前記仕切板５の下面に存在すると治具による仕切板５のセットができなくなる。
【００５６】
あるいは、前記仕切板５の下面全体が前記補強梁４１の下端部よりも下方に位置していて、治具を上下方向にスライドさせて仕切板５の下面に押し当てそのまま後方向きにスライドさせる場合、或いは前記仕切板５の下面全体が前記補強梁４１の下端部よりも上方に位置していて、治具を上下方向にスライドさせて仕切板５の下面に押し当てそのまま後方向きにスライドさせる場合、前記仕切板５の下面よりも下方に突出するものが存在すると治具を水平方向にスライドさせて仕切板５を内箱に押し付ける仕切板５のセットができなくなる。すなわち、前記補強梁４１の下端あるいは仕切板５の下面は仕切板５を冷蔵庫本体１にセット可能とするための治具の基準面Ｘとなり、仕切板５の下面にはこの基準面Ｘよりも下方に突出するものが存在すると治具による仕切板５のセットができなくなる。
【００５７】
しかしながら、本実施の形態では上記仕切板５の下面に装着した霧化装置３４は、その最下端部が前記仕切板５を冷蔵庫本体１にセットする際の治具の基準面Ｘとなる面と同等もしくはそれよりも上方に位置するようにしてあるから、霧化装置３４を仕切板５に装着した状態で冷蔵庫本体１に治具を用いてセットすることができる、すなわち、霧化装置３４が治具セットの邪魔にならない。したがって、冷蔵庫の生産過程においてこの実施の形態の冷蔵庫では、冷蔵庫本体１に仕切板５をセットして発泡断熱材４を充填発泡させる前の段階で仕切板５に霧化装置３４を装着しておくことができる。その結果、仕切板５を冷蔵庫本体１にセットして発泡断熱材４を発泡充填させて一体化したのちに、作業性の悪い野菜室８の内奥上面で霧化装置３４を装着するような煩雑かつ時間のかかる作業をする必要がなく、その生産性は格段に高いものとなる。
【００５８】
上記基準面Ｘは、冷蔵庫本体１の仕切板５前部に設けられる補強梁４１の最下端を基準面Ｘとした場合、治具を補強梁４１の最下端に沿って水平方向にスライドさせ冷蔵庫本体１にセットするものであっても、霧化装置３４を装着した状態の仕切板５を支障なく冷蔵庫本体１にセットすることができ、その生産性を確実に高いものとすることができる。
【００５９】
また、基準面Ｘを、仕切板５の下面の最下端部とした場合は、治具が上下動＆後方へのスライド移動を行って仕切板５を冷蔵庫本体内箱３に押し付けるものであっても、霧化装置３４を装着した状態の仕切板５を支障なく冷蔵庫本体１にセットすることができ、前記同様、その生産性を格段に高いものとすることができる。
【００６０】
特に、本実施の形態で例示したもののように、仕切板５の下面に補強用のリブ４２を設け、このリブ４２の一部を廃して形成した凹所４３に霧化装置３４を設けたものは、霧化装置３４の最下端部を前記リブ４２の最下端で構成される基準面Ｘと同等かそれ以上の高さとしつつ仕切板５の強度を向上させることができる。すなわち、本実施の形態で示したように霧化装置３４の印加電極３５をペェルチェ素子３７で露点以下に冷却するようにした場合は、前記印加電極３５を露点以下に冷却するためこれを取り付ける仕切板５を従来の冷凍室９のような冷凍度帯域の貯蔵室との間の仕切板とする必要がなく、そのため仕切板５は断熱材を必要とせず樹脂成型品のみとすることができて強度的に弱いものとなる。しかしながら、本実施の形態で例示したように、仕切板５の下面にリブ４２を設けて霧化装置装着用の凹所４３を形成する構成とすれば、このリブ４２によって仕切板５を補強でき、霧化装置３４の最下端を仕切板５の最下端と同等かそれよりも上方に位置するようにしつつ仕切板５の強度を向上させることができ、効果的である。
【００６１】
また、本実施の形態においては、前記野菜室８に設けた野菜室容器２５の内部を野菜収納部２８と非野菜収納部２９とに区分けし、前記野菜収納部２８と対応する部分の天井面に霧化装置３４を設けているから、霧化装置３４からのミストは図５の破線で示すように野菜収納部２８内に効率よく供給することができる。したがって、野菜収納部２８内の野菜に対するミスト保鮮効果はもちろんオゾンやＯＨラジカルによる殺菌、抗菌効果も効率よく発揮させることができる。
【００６２】
しかも、上記野菜収納部２８と非野菜収納部２９の間は小物収納容器３０を支持するレール部材３２にスリット開口３３を設けているので、野菜収納部２８に放出されたオゾンやＯＨラジカルを含むミストは図８の破線で示すように上記スリット開口３３を介して非野菜収納部２９へと流れ、更に非野菜収納部２９に開口している冷気戻り口２２から冷気通路１７を介して冷蔵室７や冷凍室９にも供給されることになる。したがって、これら冷蔵室７や冷凍室９に冷却保存している食品に対してもオゾンやＯＨラジカルによって殺菌、抗菌効果をもたらすことができる。
【００６３】
更にこの実施の形態では、野菜室８を冷蔵室７と冷凍室９との間に配置した真ん中野菜室タイプの冷蔵庫としてあるから、野菜の出し入れを容易なものとしつつその野菜を新鮮な状態に保鮮し、殺菌、抗菌もでき、野菜を多用されるユーザにとって使い勝手の良い冷蔵庫となる。
【００６４】
なお、この冷蔵庫では、野菜室８に野菜室ファン２３を設けているので、野菜室温度が野菜冷却保存温度よりも高くなって野菜室ファン２３が回転すれば、霧化装置３４によって放出され野菜室８内に充満しているオゾンやＯＨラジカルを含むナノレベルのミストが野菜室８内で循環拡散されることになり、野菜室８に保存してある野菜の細部までオゾンやＯＨラジカルを含むナノレベルのミストをいきわたらせることができ、野菜の保鮮及び殺菌、抗菌効果をより高める効果がある。
【００６５】
以上、本発明の一実施の形態を説明してきたが、上記実施の形態で説明した構成は本発明を実施する一例として示したものであり、本発明の目的を達成する範囲で種々変更可能なことは言うまでもない。
【００６６】
例えば上記実施の形態では真ん中野菜タイプの冷蔵庫の場合を例にして説明したが、これは例えば野菜室が冷凍温度帯域の貯蔵室の下部にある冷蔵庫であって、その冷凍温度帯域の貯蔵室と野菜室との間を仕切る仕切板に本発明の霧化装置３４を設ける構成とする場合でも適用できるものである。
【産業上の利用可能性】
【００６７】
本発明は、真ん中野菜室タイプの冷蔵庫のように冷凍温度帯域の貯蔵室からの熱伝導が得られにくい冷蔵庫であってもその野菜室にオゾンやＯＨラジカルを含むナノレベルのミストを供給でき、しかも生産性が高く安価に提供できる冷蔵庫とすることができる。よって、家庭用はもちろん業務用冷蔵庫やショーケース等多くの用途に幅広く適用することができる。
【符号の説明】
【００６８】
１  冷蔵庫本体
２  外箱
３  内箱（冷蔵庫本体内箱）
４  発泡断熱材
５、６  仕切板
７  冷蔵室
８  野菜室
９  冷凍室
１０、１１、１２  扉
１４  機械室
１５  圧縮機
１６  冷却室
１７  冷気通路
１８  背面壁体
１９  冷却器
２０  冷却ファン
２１  冷気入口
２２  冷気戻り口
２３  野菜室ファン
２４  野菜室ダクト
２５  野菜室容器
２６  レール
２７  仕切壁体
２８  野菜収納部
２９  非野菜収納部
３０  小物収納容器
３１  透湿膜
３２  レール部材
３３  スリット開口（開口）
３４  霧化装置
３５  印加電極
３６  対向電極
３７  ペェルチェ素子
３８  霧化ユニット
３９  制御ユニット
４０  装置基板
４１  補強梁
４２  リブ
４３  凹所
４４  冷蔵室温度検知手段
４５  野菜室温度検知手段
４６  冷凍室温度検知手段
４７  外気温度検知手段
４８  制御部
４９  冷蔵室ダンパ
５０  冷凍室ダンパ
【図１】
2019052846.tif 000003
【図２】
2019052846.tif 000004
【図３】
2019052846.tif 000005
【図４】
2019052846.tif 000006
【図５】
2019052846.tif 000007
【図６】
2019052846.tif 000008
【図７】
2019052846.tif 000009
【図８】
2019052846.tif 000010
【図９】
2019052846.tif 000011
【図１０】
2019052846.tif 000012
【図１１】
2019052846.tif 000013
【図１２】
2019052846.tif 000014
【図１３】
2019052846.tif 000015
【図１４】
2019052846.tif 000016
【図１５】
2019052846.tif 000017
【図１６】
2019052846.tif 000018
【図１７】
2019052846.tif 000019
【図１８】
2019052846.tif 000020
【図１９】
2019052846.tif 000021
【手続補正書】
【提出日】平成30年12月26日(2018.12.26)
【手続補正１】
【補正対象書類名】特許請求の範囲
【補正対象項目名】全文
【補正方法】変更
【補正の内容】
【特許請求の範囲】
【請求項１】
野菜室を有する冷蔵庫であって、
前記野菜室は、第１の収容部と第２の収容部とに区画され、
ミストを放出する霧化装置が、前記第１の収容部に設けられ、
前記第１の収容部と前記第２の収容部とを区画する部材には、開口が設けられていることを特徴とする冷蔵庫。
【請求項２】
前記霧化装置は、前記野菜室の天井面に設けられていることを特徴とする請求項１に記載の冷蔵庫。
【請求項３】
前記第１の収納部の上部には、スライド可能な収納容器が設けられていることを特徴とする請求項２に記載の冷蔵庫。
【請求項４】
前記開口は、前記収納容器を支持するレール部材に設けられていることを特徴とする請求項３に記載の冷蔵庫。
【請求項５】
冷気が流れる冷気通路が前記野菜室の背面に設けられ、
前記第２の収容部が前記冷気通路と連通することを特徴とする請求項１から４のいずれか１項に記載の冷蔵庫。
【請求項６】
前記霧化装置が放出するミストは、ＯＨラジカルを含むミストであることを特徴とする請求項１から５のいずれか１項に記載の冷蔵庫。
【請求項７】
前記霧化装置は、印加電極と、前記印加電極を冷却するためのペルチェ素子と、対向電極とで構成され、前記印加電極から前記対向電極に放電することで、前記印加電極に付着している結露水がミストとして放出されることを特徴とする請求項１から６のいずれか１項に記載の冷蔵庫。
【請求項８】
前記冷蔵庫の最上部に冷蔵室が設けられ、
前記冷蔵庫の最下部に冷凍室が設けられ、
前記野菜室は、前記冷蔵室の下方、かつ、前記冷凍室の上方に設けられていることを特徴とする請求項１から７のいずれか１項に記載の冷蔵庫。

【手続補正２】
【補正対象書類名】明細書
【補正対象項目名】０００５
【補正方法】削除
【補正の内容】
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
本発明は、霧化装置が放出するミストを野菜室全体に供給できる冷蔵庫を提供することを目的としたものである。
【手続補正８】
【補正対象書類名】明細書
【補正対象項目名】００１１
【補正方法】変更
【補正の内容】
【００１１】
本発明の冷蔵庫は、野菜室を有する冷蔵庫であって、前記野菜室は、第１の収容部と第２の収容部とに区画され、ミストを放出する霧化装置が、前記第１の収容部に設けられ、前記第１の収容部と前記第２の収容部とを区画する部材には、開口が設けられていることを特徴とする。
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】変更
【補正の内容】
【００１３】
本発明によれば、霧化装置が放出するミストを野菜室全体に供給できる冷蔵庫を提供することができる。